(57)【特許請求の範囲】
【請求項１】
基端側開口と先端側開口との間に流路を区画する本体部と、
前記流路に面する弁体及び該弁体によって開閉可能なオスコネクタ接続口を有するオスコネクタ接続部と、を備え、
前記本体部は、前記オスコネクタ接続部に接続されたオスコネクタの先端部を収容可能なオスコネクタ収容部を備え、
前記オスコネクタ収容部は、前記オスコネクタ接続部への前記オスコネクタの接続によって、該オスコネクタを前記先端側開口に連通させると共に前記基端側開口から前記オスコネクタ収容部への流体の流入を阻止するように構成されており、
前記オスコネクタ収容部には、前記基端側開口から前記オスコネクタ収容部への流体の流入を許容する一方、前記オスコネクタ収容部から前記基端側開口への流体の流入を阻止する逆止弁が設けられており、
前記逆止弁は、前記オスコネクタ接続部に前記オスコネクタが接続されたときに、該オスコネクタからの押圧力によって、前記基端側開口から前記オスコネクタ収容部への流体の流入を阻止するように構成されており、
前記オスコネクタ収容部は弁座を備え、
前記逆止弁は、前記弁座に着座可能な弾性弁であり、前記基端側開口から前記オスコネクタ収容部への流体の流入を前記弁座との間を介して許容するように構成されていることを特徴とする医療用コネクタ。
【請求項２】
基端側開口と先端側開口との間に流路を区画する本体部と、
前記流路に面する弁体及び該弁体によって開閉可能なオスコネクタ接続口を有するオスコネクタ接続部と、を備え、
前記本体部は、前記オスコネクタ接続部に接続されたオスコネクタの先端部を収容可能なオスコネクタ収容部を備え、
前記オスコネクタ収容部は、前記オスコネクタ接続部への前記オスコネクタの接続によって、該オスコネクタを前記先端側開口に連通させると共に前記基端側開口から前記オスコネクタ収容部への流体の流入を阻止するように構成されており、
前記オスコネクタ収容部には、前記基端側開口から前記オスコネクタ収容部への流体の流入を許容する一方、前記オスコネクタ収容部から前記基端側開口への流体の流入を阻止する逆止弁が設けられており、
前記逆止弁は、前記オスコネクタ接続部に前記オスコネクタが接続されたときに、該オスコネクタからの押圧力によって、前記基端側開口から前記オスコネクタ収容部への流体の流入を阻止するように構成されており、
前記逆止弁は、スリットを有し、前記基端側開口から前記オスコネクタ収容部への流体の流入を前記スリットを介して許容するように構成されていることを特徴とする医療用コネクタ。
【請求項３】
基端側開口と先端側開口との間に流路を区画する本体部と、
前記流路に面する弁体及び該弁体によって開閉可能なオスコネクタ接続口を有するオスコネクタ接続部と、を備え、
前記本体部は、前記オスコネクタ接続部に接続されたオスコネクタの先端部を収容可能なオスコネクタ収容部を備え、
前記オスコネクタ収容部は、前記オスコネクタ接続部への前記オスコネクタの接続によって、該オスコネクタを前記先端側開口に連通させると共に前記基端側開口から前記オスコネクタ収容部への流体の流入を阻止するように構成されており、
前記オスコネクタ収容部は、該オスコネクタ収容部と前記基端側開口とを連通させる連通孔を備え、
前記連通孔は、前記オスコネクタ接続部への前記オスコネクタの接続により、該オスコネクタによって閉塞されるように構成されており、
前記連通孔と前記基端側開口との間に、前記基端側開口から前記連通孔への流体の流入を許容する一方、前記連通孔から前記基端側開口への流体の流入を阻止する逆止弁が設けられていることを特徴とする医療用コネクタ。
【請求項４】
前記弁体と前記逆止弁とは一体に形成されている、請求項１〜３のいずれか一項に記載の医療用コネクタ。
【請求項５】
生体に流体を供給する輸液装置の一部又は全部を構成するための複数の部品からなる輸液セットであって、請求項１〜４のいずれか一項に記載の医療用コネクタを含むことを特徴とする輸液セット。
【発明の詳細な説明】
【技術分野】
【０００１】
本発明は、オスコネクタ接続部を備える医療用コネクタに関する。また、本発明は、輸液装置の一部又は全部を構成するための複数の部品からなる輸液セットであって、そのような医療用コネクタを含むものに関する。さらに、本発明は、そのような医療用コネクタを用いた流体の採取方法に関する。
【背景技術】
【０００２】
従来、患者などの生体に薬液などの流体を供給する輸液装置などにおいて、管体を接続するための医療用コネクタが用いられている。また、医療用コネクタとして、基端側開口と先端側開口との間に流路を区画する本体部と、前記流路に面する弁体によって開閉可能なオスコネクタ接続口を有するオスコネクタ接続部と、を備えるものが知られている。輸液装置において用いられる医療用コネクタは、例えば特許文献１に記載されている。
【先行技術文献】
【特許文献】
【０００３】
【特許文献１】特開２００５−３３４２８０号公報
【発明の概要】
【発明が解決しようとする課題】
【０００４】
特許文献１の図１０には、基端側から先端側に向けて、輸液容器、点適筒、医療用コネクタ、留置針などをこの順に配置すると共にチューブで接続した輸液装置が記載されている。【０００５】
ところで、このような輸液装置を用いる場合、生体に留置針を留置した状態で血液検査などのために生体から血液などの流体を採取する必要が生じた場合には、流体採取用にシリンジなどの医療器具を用意し、その医療器具に繋がるオスコネクタを医療用コネクタのオスコネクタ接続部に接続して、オスコネクタへと流体を吸引することになる。【０００６】
そして、その際には、基端側（輸液容器側）からは流体が吸引されずに、先端側（留置針側）のみから吸引されるようにする必要がある。そのため、従来の輸液装置では、医療用コネクタの基端側にワンタッチ式のクレンメを設けておき、流体の採取の際にこのクレンメを操作して基端側からの流体の流入を阻止するといった対応が必要であった。【０００７】
本発明は、このような不都合を問題点として捉え開発されたもので、オスコネクタへの流体の採取を容易化できる医療用コネクタ、輸液セット及び流体の採取方法を提供することを目的とする。
【課題を解決するための手段】
【０００８】
本発明の医療用コネクタは、基端側開口と先端側開口との間に流路を区画する本体部と、前記流路に面する弁体及び該弁体によって開閉可能なオスコネクタ接続口を有するオスコネクタ接続部と、を備え、前記本体部は、前記オスコネクタ接続部に接続されたオスコネクタの先端部を収容可能なオスコネクタ収容部を備え、前記オスコネクタ収容部は、前記オスコネクタ接続部への前記オスコネクタの接続によって、該オスコネクタを前記先端側開口に連通させると共に前記基端側開口から前記オスコネクタ収容部への流体の流入を阻止するように構成されていることを特徴とする。【０００９】
ここで、本発明の医療用コネクタは、前記オスコネクタ収容部には、前記基端側開口から前記オスコネクタ収容部への流体の流入を許容する一方、前記オスコネクタ収容部から前記基端側開口への流体の流入を阻止する逆止弁が設けられており、前記逆止弁は、前記オスコネクタ接続部に前記オスコネクタが接続されたときに、該オスコネクタからの押圧力によって、前記基端側開口から前記オスコネクタ収容部への流体の流入を阻止するように構成されていることが好ましい。【００１０】
また、本発明の医療用コネクタでは、前記オスコネクタ収容部は弁座を備え、前記逆止弁は、前記弁座に着座可能な弾性弁であり、前記基端側開口から前記オスコネクタ収容部への流体の流入を前記弁座との間を介して許容するように構成されていることが好ましい。【００１１】
また、本発明の医療用コネクタでは、前記逆止弁は、スリットを有し、前記基端側開口から前記オスコネクタ収容部への流体の流入を前記スリットを介して許容するように構成されていることが好ましい。【００１２】
また、本発明の医療用コネクタでは、前記オスコネクタ収容部は、該オスコネクタ収容部と前記基端側開口とを連通させる連通孔を備え、前記連通孔は、前記オスコネクタ接続部への前記オスコネクタの接続により、該オスコネクタによって閉塞されるように構成されていることが好ましい。【００１３】
また、本発明の医療用コネクタは、前記連通孔と前記基端側開口との間に、前記基端側開口から前記連通孔への流体の流入を許容する一方、前記連通孔から前記基端側開口への流体の流入を阻止する逆止弁が設けられていることが好ましい。【００１４】
さらに、本発明の医療用コネクタでは、前記弁体と前記逆止弁とは一体に形成されていることが好ましい。【００１５】
また、本発明の輸液セットは、生体に流体を供給する輸液装置の一部又は全部を構成するための複数の部品からなる輸液セットであって、本発明の医療用コネクタを含むことを特徴とする。【００１６】
さらに、本発明の流体の採取方法は、基端側開口と先端側開口との間に流路を区画する本体部と、前記流路に面する弁体及び該弁体によって開閉可能なオスコネクタ接続口を有するオスコネクタ接続部と、を備える医療用コネクタの前記流路から流体を採取するための流体の採取方法であって、前記オスコネクタ接続部にオスコネクタを接続するステップと、前記オスコネクタ接続部への前記オスコネクタの接続によって、該オスコネクタを前記先端側開口に連通させると共に前記基端側開口から前記オスコネクタへの流体の流入を阻止するステップと、前記先端側開口から前記オスコネクタへ流体を採取するステップと、を備えることを特徴とする。
【発明の効果】
【００１７】
本発明によれば、オスコネクタ接続部へのオスコネクタの接続によって、該オスコネクタを先端側開口に連通させると共に基端側開口からオスコネクタ収容部への流体の流入を阻止することができるので、オスコネクタ接続部にオスコネクタを接続するだけで流体の採取を開始することができる。【００１８】
したがって、本発明によれば、オスコネクタへの流体の採取を容易化できる医療用コネクタ、輸液セット及び流体の採取方法を提供することができる。
【図面の簡単な説明】
【００１９】
【図１】本発明の一実施形態に係る医療用コネクタの断面斜視図である。
【図２】図１の医療用コネクタを輸液装置において用いる場合の生体への流体供給時の様子を示す断面図である。
【図３】図１の医療用コネクタを輸液装置において用いる場合の生体への流体供給停止時の様子を示す断面図である。
【図４】図１の医療用コネクタを輸液装置において用いる場合の生体からの流体採取時の様子を示す断面図である。
【図５】本発明の他の実施形態に係る医療用コネクタの断面斜視図である。
【図６】図５の医療用コネクタを輸液装置において用いる場合の生体への流体供給時の様子を示す断面図である。
【図７】図５の医療用コネクタを輸液装置において用いる場合の生体への流体供給停止時の様子を示す断面図である。
【図８】図５の医療用コネクタを輸液装置において用いる場合の生体からの流体採取時の様子を示す断面図である。
【図９】本発明の更なる他の実施形態に係る医療用コネクタを輸液装置において用いる場合の生体への流体供給時の様子を示す断面図である。
【図１０】図９の医療用コネクタを輸液装置において用いる場合の生体への流体供給停止時の様子を示す断面図である。
【図１１】図９の医療用コネクタを輸液装置において用いる場合の生体からの流体採取時の様子を示す断面図である。
【図１２】本発明の一実施形態に係る輸液セットを示す全体図である。
【発明を実施するための形態】
【００２０】
以下、図１〜図４を参照して、本発明の一実施形態に係る医療用コネクタ１について詳細に例示説明する。
【００２１】
本実施形態の医療用コネクタ１を図１に示す。なお、図１では、医療用コネクタ１の断面の一方側部分のみを示しているが、他方側部分は一方側部分と対称な構成となっている。また、医療用コネクタ１を、例えば患者などの生体に例えば薬液や生理食塩水などの流体を供給する輸液装置において用いる場合の様子を図２〜図４に示す。図２は生体への流体供給時の様子を示し、図３は生体への流体供給停止時の様子を示し、図４は生体から例えば血液などの流体を採取する時の様子を示す。
【００２２】
図１に示すように、医療用コネクタ１は、基端側開口Ｐ１１と先端側開口Ｐ１２との間に流路Ｒ１（図２参照）を区画する本体部１１と、流路Ｒ１に面する弁体１２によって開閉可能なオスコネクタ接続口Ｐ１３を有するオスコネクタ接続部１３と、を備えている。また、本体部１１は、オスコネクタ接続部１３に接続されたオスコネクタＣ（図４参照）の先端部Ｃ１を収容可能なオスコネクタ収容部１４を備えている。ここで、流路Ｒ１は、基端側開口Ｐ１１とオスコネクタ収容部１４との間の基端側流路Ｒ１１と、オスコネクタ収容部１４と、オスコネクタ収容部１４と先端側開口Ｐ１２との間の先端側流路Ｒ１２とによって構成されている。
【００２３】
また、医療用コネクタ１は、基端側開口Ｐ１１を有すると共に例えばチューブやコネクタなどの管体を外周面に接続可能な筒状（例えば円筒状）の基端側接続部１５と、先端側開口Ｐ１２を有すると共に例えばチューブやコネクタなどの管体を外周面に接続可能な筒状（例えば円筒状）の先端側接続部１６と、を備えている。
【００２４】
オスコネクタ接続口Ｐ１３は、例えばルアースリップ式やルアーロック式などオスルアーとして構成されたオスコネクタＣを接続できる円筒形状をなしている。オスコネクタ接続部１３の外周面には、ルアーロック式オスルアーを固定するための雄ねじなどからなるオスコネクタＣとの係合部を設けても良い。
【００２５】
オスコネクタ接続口Ｐ１３を開閉可能な弁体１２は、オスコネクタ接続口Ｐ１３の中央に位置すると共に弁体１２の表裏を貫通するスリット１２ａを有する弾性スリット弁であり、スリット１２ａを取り囲む部分がオスコネクタ接続部１３に対して固定されることで、オスコネクタ接続口Ｐ１３へのオスコネクタＣの接続によってスリット１２ａが開くように構成されている。なお、スリット１２ａは、本実施形態では一文字状をなすものとしているが、例えば十文字状、Ｙ字状などの放射形状や、他の形状を採用することもできる。
【００２６】
オスコネクタ収容部１４には、逆止弁１７が設けられている。逆止弁１７は、オスコネクタ収容部１４に設けられた弁座１４ａに着座可能な弾性弁であり、図２に示すように、基端側開口Ｐ１１からオスコネクタ収容部１４への流体の流入を弁座１４ａとの間を介して許容するように構成されている。また、逆止弁１７は、図３に示すように、オスコネクタ収容部１４から基端側開口Ｐ１１への流体の流入を阻止するように構成されている。すなわち、逆止弁１７はオスコネクタ接続口Ｐ１３と基端側開口Ｐ１１との間の流路Ｒ１に設けられている。
【００２７】
さらに、逆止弁１７は、図４に示すように、オスコネクタ接続部１３にオスコネクタＣが接続されたときに、該オスコネクタＣからの押圧力によって、基端側開口Ｐ１１からオスコネクタ収容部１４への流体の流入を阻止するように構成されている。ここで、逆止弁１７は、図４に示したように、オスコネクタＣの先端部Ｃ１に当接することで流体の流入を阻止するように構成するのが好ましい。しかしながら、このような構成に代えて、例えば、弁体１２のオスコネクタＣに押し込まれた部分に当接することで流体の流入を阻止するように構成することも可能である。
【００２８】
そして、基端側流路Ｒ１１のオスコネクタ収容部１４への開口端を囲む弁座１４ａは、弁体１２が配置された側からその反対側に向かって基端側から先端側に傾斜した平面状をなしている。また、逆止弁１７は、弁体１２が配置された側の端部が弁座１４ａに対して固定されると共に、その反対側の端部が自由端となる片持ち式の弁として構成されている。そして、逆止弁１７は、オスコネクタ接続部１３にオスコネクタＣが接続されたときに、自由端側の部分がオスコネクタＣの先端部Ｃ１に当接することで弁座１４ａに押付けられて流路を塞ぐように構成されている。なお、弁座１４ａは、本実施形態では平面状をなすものとしているが、例えば曲面状などの他の形状を採用することもできる。
【００２９】
また、医療用コネクタ１は、筒状の基端側接続部１５の中心軸線と筒状の先端側接続部１６の中心軸線とが同一の方向に延びると共に、この方向と垂直にオスコネクタ接続口Ｐ１３の中心軸線が配置されたＴ字型コネクタとして構成されている。
【００３０】
なお、本実施形態では、医療用コネクタ１は、例えば樹脂製とされるハウジングｈ１と、例えば樹脂製とされるキャップｃ１と、例えばゴム製とされる弁部材ｖ１と、で構成されている。ハウジングｈ１とキャップｃ１とは、これらの間に弁部材ｖ１を挟んだ状態で互いに接合されている。
【００３１】
ここで、前述した本体部１１、基端側接続部１５、先端側接続部１６及びオスコネクタ収容部１４は、ハウジングｈ１によって構成されている。また、オスコネクタ接続部１３は、キャップｃ１によって構成されている。さらに、弁体１２及び逆止弁１７は、弁部材ｖ１によって構成されている。このように、逆止弁１７は、オスコネクタ接続口Ｐ１３を閉塞する弁体１２と一体に形成されている。
【００３２】
以上のように構成される医療用コネクタ１は、輸液装置において使用された場合、以下のように作動することができる。まず、生体への流体供給時には、図２に示すように、輸液容器側に位置する基端側の流体の圧力によって逆止弁１７が開くため、流体を基端側開口Ｐ１１から流路Ｒ１を通じて先端側開口Ｐ１２へと流すことができる。したがって、輸液容器からの流体を、医療用コネクタ１を通じて生体へと供給することができる。
【００３３】
また、生体への流体供給停止時には、図３に示すように、生体側に位置する先端側の流体の圧力が高まったとしても、その圧力は逆止弁１７を閉じる方向に作用するため、オスコネクタ収容部１４から基端側開口Ｐ１１への流体の流入が阻止される。したがって、流体供給停止時に生体から輸液装置内への流体の逆流の発生が防止され、安全性が確保されると共に輸液装置内での閉塞の発生が抑制される。
【００３４】
さらに、生体からの流体の採取時には、図４に示すように、流体採取用にシリンジなどの医療器具が用意され、この医療器具に繋がるオスコネクタＣがオスコネクタ接続部１３に接続されると、逆止弁１７の自由端側の部分がオスコネクタＣの先端部Ｃ１によって傾斜平面状の弁座１４ａに押しつけられるため、逆止弁１７の閉塞状態、及びオスコネクタＣと先端側開口Ｐ１２との連通状態が確保される。したがって、輸液容器からの流体の流入を阻止して生体のみから流体を採取することが可能になる。
【００３５】
以上説明したように、本実施形態の医療用コネクタ１は、オスコネクタ接続部１３へのオスコネクタＣの接続によって、該オスコネクタＣを先端側開口Ｐ１２に連通させると共に基端側開口Ｐ１１からオスコネクタ収容部１４への流体の流入を阻止するように構成されているので、オスコネクタ接続部１３にオスコネクタＣを接続するだけで流体の採取を開始することができ、オスコネクタＣへの流体の採取を容易化することができる。
【００３６】
また、本実施形態の医療用コネクタ１は、オスコネクタ収容部１４に逆止弁１７が設けられ、該逆止弁１７が、オスコネクタ接続部１３に接続されたオスコネクタＣからの押圧力によって、基端側開口Ｐ１１からオスコネクタ収容部１４への流体の流入を阻止するように構成されているので、逆止弁１７によって生体からの流体の逆流が生じることを防止できる上に、オスコネクタＣへの流体の採取を容易化することも可能となる。
【００３７】
また、本実施形態の医療用コネクタ１は、逆止弁１７が弁座１４ａに着座可能な弾性弁として構成されているので、簡単な構成によって、生体からの流体の逆流の発生を防止すると共にオスコネクタＣへの流体の採取を容易化することが可能となる。
【００３８】
また、本実施形態の医療用コネクタ１は、弁体１２と逆止弁１７とを一体に形成することで、構成及び組み立て工程の簡素化を実現している。
【００３９】
次に、図５〜図８を参照して、本発明の他の実施形態に係る医療用コネクタ２について詳細に例示説明する。
【００４０】
本実施形態の医療用コネクタ２を図５に示す。なお、図５では、医療用コネクタ２の断面の一方側部分のみを示しているが、他方側部分は一方側部分と対称な構成となっている。また、医療用コネクタ２を、生体に流体を供給する輸液装置において用いる場合の様子を図６〜図８に示す。図６は生体への流体供給時の様子を示し、図７は生体への流体供給停止時の様子を示し、図８は生体からの流体採取時の様子を示す。
【００４１】
図５に示すように、医療用コネクタ２は、基端側開口Ｐ２１と先端側開口Ｐ２２との間に流路Ｒ２（図６参照）を区画する本体部２１と、流路Ｒ２に面する弁体２２によって開閉可能なオスコネクタ接続口Ｐ２３を有するオスコネクタ接続部２３と、を備えている。また、本体部２１は、オスコネクタ接続部２３に接続されたオスコネクタＣ（図８参照）の先端部Ｃ１を収容可能なオスコネクタ収容部２４を備えている。ここで、流路Ｒ２は、基端側開口Ｐ２１とオスコネクタ収容部２４との間の基端側流路Ｒ２１と、オスコネクタ収容部２４と、オスコネクタ収容部２４と先端側開口Ｐ２２との間の先端側流路Ｒ２２とによって構成されている。
【００４２】
また、医療用コネクタ２は、基端側開口Ｐ２１を有すると共に例えばチューブやコネクタなどの管体を内周面又は外周面に接続可能な筒状の基端側接続部２５と、先端側開口Ｐ２２を有すると共に例えばチューブやコネクタなどの管体を内周面又は外周面に接続可能な筒状の先端側接続部２６と、を備えている。
【００４３】
オスコネクタ接続口Ｐ２３は、ルアースリップ式のオスルアーとして構成されたオスコネクタＣを接続できる円筒形状をなしている。オスコネクタ接続口Ｐ２３を開閉可能な弁体２２は、オスコネクタ接続口Ｐ２３の中央に位置すると共に弁体２２の表裏を貫通するスリット２２ａを有する弾性スリット弁であり、スリット２２ａを取り囲む部分がオスコネクタ接続部２３に対して固定されることで、オスコネクタ接続口Ｐ２３へのオスコネクタＣの接続によってスリット２２ａが開くように構成さている。なお、スリット２２ａは、本実施形態では一文字状をなすものとしているが、例えば十文字状、Ｙ字状などの放射形状や、他の形状を採用することもできる。
【００４４】
オスコネクタ収容部２４は、該オスコネクタ収容部２４と基端側開口Ｐ２１とを連通させる連通孔２４ａを備え、該連通孔２４ａは、図８に示すように、オスコネクタ接続部２３へのオスコネクタＣの接続により、該オスコネクタＣによって閉塞されるように構成されている。連通孔２４ａは、円筒状をなしており、その中心軸線がオスコネクタ接続部２３に接続されたオスコネクタＣの中心軸線と直交するように配置されている。
【００４５】
また、オスコネクタ収容部２４は、オスコネクタ接続部２３に接続されたオスコネクタＣの先端面Ｃ１ａが当接可能な段部２４ｂを備えている。段部２４ｂは、オスコネクタＣの先端面Ｃ１ａが段部２４ｂに当接したときにオスコネクタＣと先端側開口Ｐ２２との連通状態を確保するように構成されている。
【００４６】
しかしながら、オスコネクタ収容部２４は、段部２４ｂを備える代わりに、例えば、オスコネクタ接続部２３に接続されたオスコネクタＣの先端面Ｃ１ａが当接可能な傾斜面を備えていてもよい。また、オスコネクタ接続部２３に接続されるオスコネクタＣが先端に向かって縮径するオスルアーである場合には、オスコネクタＣが、オスコネクタＣと先端側開口Ｐ２２との連通状態が確保される位置でオスコネクタ接続口Ｐ２３に係止されるように構成してもよい。
【００４７】
基端側流路Ｒ２１（すなわち、連通孔２４ａと基端側開口Ｐ２１との間）には、基端側開口Ｐ２１から連通孔２４ａへの流体の流入を許容する一方、連通孔２４ａから基端側開口Ｐ２１への流体の流入を阻止する逆止弁２７が設けられている。すなわち、逆止弁２７は、オスコネクタ接続口Ｐ２３と基端側開口Ｐ２１との間の流路Ｒ２に設けられている。逆止弁２７は、本実施形態では、一文字状のスリット２７ａを有し、基端側開口Ｐ２１からオスコネクタ収容部２４への流体の流入をスリット２７ａを介して許容するダックビル弁として構成されている。
【００４８】
しかしながら、逆止弁２７は、例えば円錐状、角垂状など、基端側から先端側に向けて突出する錐状体の先端部に一文字状のスリットや、例えば十文字状、Ｙ字状などの放射状のスリットや、他の形状のスリットを有するアンブレラ弁として構成してもよいし、その他の構成としてもよい。
【００４９】
また、医療用コネクタ２は、筒状の基端側接続部２５の中心軸線と筒状の先端側接続部２６の中心軸線とが同一の方向に延びると共に、この方向と垂直にオスコネクタ接続口Ｐ２３の中心軸線が配置されたＴ字型コネクタとして構成されている。
【００５０】
なお、本実施形態では、医療用コネクタ２は、例えば樹脂製とされる基端側ハウジングｈ２１と、例えば樹脂製とされる先端側ハウジングｈ２２と、例えばゴム製とされる弁部材ｖ２と、で構成されている。基端側ハウジングｈ２１と先端側ハウジングｈ２２とは、これらの間に弁部材ｖ２を挟んだ状態で互いに接合されている。
【００５１】
ここで、前述した基端側接続部２５及びオスコネクタ接続部２３は、基端側ハウジングｈ２１によって構成されている。また、先端側接続部１６及びオスコネクタ収容部２４は、先端側ハウジングｈ２２によって構成されている。また、本体部２１は、基端側ハウジングｈ２１と、先端側ハウジングｈ２２と、によって構成されている。さらに、弁体２２及び逆止弁２７は、弁部材ｖ２によって構成されている。このように、逆止弁２７は、オスコネクタ接続口Ｐ２３を閉塞する弁体２２と一体に形成されている。
【００５２】
以上のように構成される医療用コネクタ２は、輸液装置において使用された場合、以下のように作動することができる。まず、生体への流体供給時には、図６に示すように、輸液容器側に位置する基端側の流体の圧力によって逆止弁２７が開くため、流体を基端側開口Ｐ２１から流路Ｒ２を通じて先端側開口Ｐ２２へと流すことができる。したがって、輸液容器からの流体を、医療用コネクタ２を通じて生体へと供給することができる。
【００５３】
また、生体への流体供給停止時には、図７に示すように、生体側に位置する先端側の流体の圧力が高まったとしても、その圧力は逆止弁２７を閉じる方向に作用するため、オスコネクタ収容部２４から基端側開口Ｐ２１への流体の流入が阻止される。したがって、流体供給停止時に生体から輸液装置内への流体の逆流の発生が防止され、安全性が確保されると共に輸液装置内での閉塞の発生が抑制される。
【００５４】
さらに、生体からの流体の採取時には、図８に示すように、流体採取用にシリンジなどの医療器具が用意され、この医療器具に繋がるオスコネクタＣがオスコネクタ接続部２３に接続されると、オスコネクタＣの先端部Ｃ１の外周面によって連通孔２４ａが閉塞される。また、このときオスコネクタＣの先端面Ｃ１ａが段部２４ｂに当接するまで挿入されたとしても、段部２４ｂに隣接する隙間を介してオスコネクタＣと先端側開口Ｐ２２との連通状態が確保される。したがって、輸液容器からの流体の流入を阻止して生体のみから流体を採取することが可能になる。
【００５５】
以上説明したように、本実施形態の医療用コネクタ２は、オスコネクタ接続部２３へのオスコネクタＣの接続によって、該オスコネクタＣを先端側開口Ｐ２２に連通させると共に基端側開口Ｐ２１からオスコネクタ収容部２４への流体の流入を阻止するように構成されているので、オスコネクタ接続部２３にオスコネクタＣを接続するだけで流体の採取を開始することができ、オスコネクタＣへの流体の採取を容易化することができる。
【００５６】
また、本実施形態の医療用コネクタ２は、オスコネクタ接続部２３に接続されたオスコネクタＣによって連通孔２４ａが閉塞されるように構成されているので、簡単な構成によって、オスコネクタＣへの流体の採取を容易化することが可能となる。
【００５７】
また、本実施形態の医療用コネクタ２は、連通孔２４ａと基端側開口Ｐ２１との間に逆止弁２７が設けられているので、生体からの流体の逆流の発生を防止することも可能となる。
【００５８】
また、本実施形態の医療用コネクタ２は、弁体２２と逆止弁２７とを一体に形成することで、構成及び組み立て工程の簡素化を実現している。
【００５９】
次に、図９〜図１１を参照して、本発明の更なる他の実施形態に係る医療用コネクタ３について詳細に例示説明する。
【００６０】
本実施形態の医療用コネクタ３を、生体に流体を供給する輸液装置において用いる場合の様子を図９〜図１１に示す。図９は生体への流体供給時の様子を示し、図１０は生体への流体供給停止時の様子を示し、図１１は生体からの流体採取時の様子を示す。
【００６１】
本実施形態の医療用コネクタ３は、オスコネクタ収容部３４及び逆止弁３７の構成を除いては、図１〜図４を用いて説明した実施形態の場合と同一の構成となっている。
【００６２】
オスコネクタ収容部３４は、有底円筒状をなす内周面を有している。また、オスコネクタ収容部３４には、一文字状のスリット３７ａを有し、基端側開口Ｐ３１からオスコネクタ収容部３４への流体の流入をスリット３７ａを介して許容するダックビル弁として構成された逆止弁３７が設けられている。すなわち、逆止弁３７は、オスコネクタ接続口Ｐ３３と基端側開口Ｐ３１との間の流路Ｒ３に設けられている。また、逆止弁３７の一文字状のスリット３７ａは、オスコネクタ接続口Ｐ３３の中心軸線に対して略垂直に延びている。さらに、逆止弁３７は、オスコネクタ接続口Ｐ３３を閉塞する弁体３２と一体に形成されている。
【００６３】
このように構成される医療用コネクタ３は、輸液装置において使用された場合、以下のように作動することができる。まず、生体への流体供給時には、図９に示すように、輸液容器側に位置する基端側の流体の圧力によって逆止弁１７が開くため、流体を基端側開口Ｐ３１から流路Ｒ３を通じて先端側開口Ｐ３２へと流すことができる。したがって、輸液容器からの流体を、医療用コネクタ３を通じて生体へと供給することができる。
【００６４】
また、生体への流体供給停止時には、図１０に示すように、生体側に位置する先端側の流体の圧力が高まったとしても、その圧力は逆止弁３７を閉じる方向に作用するため、オスコネクタ収容部３４から基端側開口Ｐ３１への流体の流入が阻止される。したがって、流体供給停止時に生体から輸液装置内への流体の逆流の発生が防止され、安全性が確保されると共に輸液装置内での閉塞の発生が抑制される。
【００６５】
さらに、生体からの流体の採取時には、図１１に示すように、流体採取用にシリンジなどの医療器具が用意され、この医療器具に繋がるオスコネクタＣがオスコネクタ接続部３３に接続されると、オスコネクタＣが先端側開口Ｐ３２に連通すると共に、オスコネクタＣからの押圧力が逆止弁３７を閉じる方向に作用して基端側開口Ｐ３１からオスコネクタ収容部３４への流体の流入が阻止される。したがって、輸液容器からの流体の流入を阻止して生体のみから流体を採取することが可能になる。
【００６６】
なお、本実施形態の医療用コネクタ３は、逆止弁３７が、弁体３２のオスコネクタＣに押し込まれた部分に当接することで流体の流入を阻止するように構成されているが、オスコネクタＣの先端部Ｃ１に当接することで流体の流入を阻止するように構成してもよい。
【００６７】
以上説明したように、本実施形態の医療用コネクタ３は、オスコネクタ接続部３３へのオスコネクタＣの接続によって、該オスコネクタＣを先端側開口Ｐ３２に連通させると共に基端側開口Ｐ３１からオスコネクタ収容部３４への流体の流入を阻止するように構成されているので、オスコネクタ接続部３３にオスコネクタＣを接続するだけで流体の採取を開始することができ、オスコネクタＣへの流体の採取を容易化することができる。
【００６８】
また、本実施形態の医療用コネクタ３は、オスコネクタ収容部３４に逆止弁３７が設けられ、該逆止弁３７が、オスコネクタ接続部３３に接続されたオスコネクタＣからの押圧力によって、基端側開口Ｐ３１からオスコネクタ収容部３４への流体の流入を阻止するように構成されているので、逆止弁３７によって生体からの流体の逆流が生じることを防止できる上に、オスコネクタＣへの流体の採取を容易化することも可能となる。
【００６９】
また、本実施形態の医療用コネクタ３は、逆止弁３７がスリット３７ａを有し、基端側開口Ｐ３１からオスコネクタ収容部３４への流体の流入をスリット３７ａを介して許容するように構成されているので、簡単な構成によって、生体からの流体の逆流の発生を防止すると共にオスコネクタＣへの流体の採取を容易化することが可能となる。
【００７０】
また、本実施形態の医療用コネクタ３は、弁体３２と逆止弁３７とを一体に形成することで、構成及び組み立て工程の簡素化を実現している。
【００７１】
なお、図１〜図４を用いて説明した医療用コネクタ１、図５〜図８を用いて説明した医療用コネクタ２、図９〜図１１を用いて説明した医療用コネクタ３はいずれもＴ字型コネクタとして構成されていたが、その他の構成のコネクタとして構成してもよく、例えば、筒状の基端側接続部１５，２５，３５の中心軸線と筒状の先端側接続部１６，２６，３６の中心軸線とが異なる方向に延びると共に、筒状の先端側接続部１６，２６，３６の中心軸線と略同一の方向にオスコネクタ接続口Ｐ１３，Ｐ２３，Ｐ３３の中心軸線が配置されたＹ字型コネクタとして構成してもよい。また、先端側接続部１６，２６，３６の代わりに留置針を備える留置針付きコネクタとして構成してもよい。さらに、基端側接続部１５，２５，３５を閉鎖型メスコネクタとして構成したり、先端側接続部１６，２６，３６をオスルアーとして構成したりすることも可能である。
【００７２】
次に、図１２を参照して、本発明の一実施形態に係る輸液セット１００について詳細に例示説明する。
【００７３】
図１２に示すように、本実施形態の輸液セット１００は、患者などの生体に例えば薬液や生理食塩水などの流体を供給する輸液装置の一部又は全部を構成するための複数の部品からなっている。
【００７４】
本実施形態では、輸液セット１００は、生体に供給される流体を収容する例えば輸液バッグなどの輸液容器（図示省略）に接続されて流体の供給量を目視可能にする点滴筒１１０と、混注用のコネクタ１２０と、図１〜図４を用いて説明した医療用コネクタ１と、生体に留置されて流体を注入する留置針（図示省略）に接続される留置針用のコネクタ１３０と、を備えている。
【００７５】
また、輸液セット１００は、点滴筒１１０と混注用のコネクタ１２０とを繋ぐ第１のチューブ１４０と、混注用のコネクタ１２０と医療用コネクタ１とを繋ぐ第２のチューブ１４１と、医療用コネクタ１と留置針用のコネクタ１３０とを繋ぐ第３のチューブ１４２と、を備えている。
【００７６】
さらに、輸液セット１００は、第１のチューブ１４０に取り付けられて流体の供給量を調整する流量調整式のクレンメ（例えばローラ式クレンメ）１５０と、第３のチューブ１４２に取り付けられて流体の供給の停止を可能にするワンタッチ式のクレンメ１６０と、を備えている。
【００７７】
このように、本実施形態の輸液セット１００は、輸液装置を構成するための部品として、点滴筒１１０と、混注用のコネクタ１２０と、医療用コネクタ１と、留置針用のコネクタ１３０と、第１のチューブ１４０と、第２のチューブ１４１と、第３のチューブ１４２と、流量調整式のクレンメ１５０と、ワンタッチ式のクレンメ１６０と、を備えている。
【００７８】
なお、輸液セット１００は、輸液容器や留置針を備えていてもよい。また、輸液セット１００は、この他にも、例えば、輸液装置内のエアを除去するためのエアフィルタや、除菌用のフィルタや、三方活栓などを備えていてもよい。また、輸液セット１００は、医療用コネクタ１を含む複数の部品を備えていればよく、前述した部品のうちの一つ又は複数を省略した構成としてもよい。
【００７９】
以上説明したように、本実施形態の輸液セット１００は、医療用コネクタ１を含んでいるので、生体への輸液を行う際に、オスコネクタＣ（図４参照）への流体の採取を容易化することができると共に、生体からの流体の逆流や脱血等のリスクを低減することができる。
【００８０】
なお、本実施形態の輸液セット１００は、生体への輸液を行う際に生体からの流体の逆流や脱血等のリスクをより低減するために、医療用コネクタ１が輸液装置のより下流側に配置されるように構成することが好ましい。
【００８１】
また、本実施形態の輸液セット１００は、医療用コネクタ１に代えて、或いは加えて、図５〜図８を用いて説明した医療用コネクタ２や、図９〜図１１を用いて説明した医療用コネクタ３、或いはそれら医療用コネクタ１〜３の前述した変形例のうちの少なくとも一つを備える構成としてもよい。
【００８２】
次に、本発明の一実施形態に係る流体の採取方法について詳細に例示説明する。
【００８３】
本実施形態の流体の採取方法は、基端側開口と先端側開口との間に流路を区画する本体部と、前記流路に面する弁体によって開閉可能なオスコネクタ接続口を有するオスコネクタ接続部と、を備える医療用コネクタの前記流路から流体を採取するためのものである。
【００８４】
そして、本実施形態の流体の採取方法は、オスコネクタ接続部にオスコネクタを接続するステップと、オスコネクタ接続部へのオスコネクタの接続によって、該オスコネクタを先端側開口に連通させると共に基端側開口からオスコネクタへの流体の流入を阻止するステップと、先端側開口からオスコネクタへ流体を採取するステップと、を備えている。
【００８５】
したがって、本実施形態の流体の採取方法によれば、オスコネクタ接続部にオスコネクタを接続するだけで流体の採取を開始できるため、オスコネクタへの流体の採取を容易化することができる。
【００８６】
また、本実施形態の流体の採取方法は、オスコネクタ接続部にオスコネクタを接続するステップの前に、「基端側開口から先端側開口への流体の供給を停止させるステップ」と、「逆止弁によって先端側開口から基端側開口への流体の逆流を阻止するステップ」と、を備えることができる。さらに、本実施形態の流体の採取方法は、「オスコネクタ接続部へのオスコネクタの接続によって、該オスコネクタを先端側開口に連通させると共に基端側開口からオスコネクタへの流体の流入を阻止するステップ」に代えて、「オスコネクタ接続部へのオスコネクタの接続によって、該オスコネクタを先端側開口に連通させると共に、オスコネクタで逆止弁を押圧して該逆止弁の閉塞状態を維持することで基端側開口からオスコネクタへの流体の流入を阻止するステップ」を備えることができる。
【００８７】
このような変形例に係る流体の採取方法によれば、流体の供給停止時において流体の逆流を阻止することができる上に、オスコネクタへの流体の採取を容易化することが可能となる。
【００８８】
前述したところは、本発明の一実施形態を示したにすぎず、特許請求の範囲において、種々の変更を加えてもよいことは言うまでもない。
【符号の説明】
【００８９】
１      医療用コネクタ
１１    本体部
１２    弁体
１２ａ  スリット
１３    オスコネクタ接続部
１４    オスコネクタ収容部
１４ａ  弁座
１５    基端側接続部
１６    先端側接続部
１７    逆止弁
Ｐ１１  基端側開口
Ｐ１２  先端側開口
Ｐ１３  オスコネクタ接続口
Ｒ１    流路
Ｒ１１  基端側流路
Ｒ１２  先端側流路
ｈ１    ハウジング
ｃ１    キャップ
ｖ１    弁部材
２      医療用コネクタ
２１    本体部
２２    弁体
２２ａ  スリット
２３    オスコネクタ接続部
２４    オスコネクタ収容部
２４ａ  連通孔
２４ｂ  段部
２５    基端側接続部
２６    先端側接続部
２７    逆止弁
２７ａ  スリット
Ｐ２１  基端側開口
Ｐ２２  先端側開口
Ｐ２３  オスコネクタ接続口
Ｒ２    流路
Ｒ２１  基端側流路
Ｒ２２  先端側流路
ｈ２１  基端側ハウジング
ｈ２２  先端側ハウジング
ｖ２    弁部材
３      医療用コネクタ
３１    本体部
３２    弁体
３２ａ  スリット
３３    オスコネクタ接続部
３４    オスコネクタ収容部
３５    基端側接続部
３６    先端側接続部
３７    逆止弁
３７ａ  スリット
Ｐ３１  基端側開口
Ｐ３２  先端側開口
Ｐ３３  オスコネクタ接続口
Ｒ３    流路
Ｒ３１  基端側流路
Ｒ３２  先端側流路
ｈ３    ハウジング
ｃ３    キャップ
ｖ３    弁部材
Ｃ      オスコネクタ
Ｃ１    オスコネクタの先端部
Ｃ１ａ  オスコネクタの先端面
１００  輸液セット
１１０  点滴筒
１２０  混注用のコネクタ
１３０  留置針用のコネクタ
１４０  第１のチューブ
１４１  第２のチューブ
１４２  第３のチューブ
１５０  流量調整式のクレンメ
１６０  ワンタッチ式のクレンメ
【図１】
0006757401.tif 000002
【図２】
0006757401.tif 000003
【図３】
0006757401.tif 000004
【図４】
0006757401.tif 000005
【図５】
0006757401.tif 000006
【図６】
0006757401.tif 000007
【図７】
0006757401.tif 000008
【図８】
0006757401.tif 000009
【図９】
0006757401.tif 000010
【図１０】
0006757401.tif 000011
【図１１】
0006757401.tif 000012
【図１２】
0006757401.tif 000013